(57)【要約】【課題】部品数・組み立て工程が増えず、運搬・取り扱いが安全であり、かつ操作性が良い、かさぶたとりキットおよびそれを装着した医療用針・体外循環回路を提供すること。【解決手段】かさぶたとり部（３）を一体に成形した筒状体（２）と、コネクタ（４）を有し、前記筒状体（２）の前方の密閉壁（２Ｆ）に、前記かさぶたとり部（３）の基部（３．２）を連結し、前記かさぶたとり部（３）の先端部（３．１）は、前記コネクタ（４）の前方部方向に向けて配置され、前記筒状体（２）を前記コネクタ（４）に、螺合した状態の時は、前記かさぶたとり部（３）は、前記コネクタ（４）の空間（４Ｓ）内に配置され、前記螺合を解除して、前記筒状体（２）を前記コネクタ（４）から取り外して、前記かさぶたとり部（３）を、露出することができるように形成したかさぶたとりキット（１）。【選択図】図２
0003143620.tif 000002
【実用新案登録請求の範囲】
【請求項１】
かさぶたとり部（３）を一体に成形した筒状体（２）と、コネクタ（４）を有し、
前記筒状体（２）の前方の密閉壁（２Ｆ）に、前記かさぶたとり部（３）の基部（３．２）を連結し、
前記かさぶたとり部（３）の先端部（３．１）は、前記コネクタ（４）の前方部方向に向けて配置され、
前記筒状体（２）と前記コネクタ（４）は、相互に螺合可能な螺合部（２．３、４．３）を有し、
前記筒状体（２）を前記コネクタ（４）に、螺合した状態の時は、前記かさぶたとり部（３）は、前記コネクタ（４）の空間（４Ｓ）内に配置され、
前記螺合を解除して、前記筒状体（２）を前記コネクタ（４）から取り外して、前記かさぶたとり部（３）を、露出することができるように形成した、ことを特徴とするかさぶたとりキット（１）。
【請求項２】
前記筒状体（２）の螺合部（２．３）と前記コネクタ（４）の螺合部（４．３）は、螺旋状の溝部及び／又は突部である請求項１に記載のかさぶたとりキット（１）。
【請求項３】
かさぶたとり部（３）を一体に成形した筒状体（２）と、コネクタ（４）を有し、
前記筒状体（２）の前方の密閉壁（２Ｆ）に、前記かさぶたとり部（３）の基部（３．２）を連結し、
前記かさぶたとり部（３）の先端部（３．１）は、前記コネクタ（４）の前方部方向に向けて配置され、
前記筒状体（２）と前記コネクタ４は、相互に螺合可能な螺合部（２．３、４．３）を有し、
前記筒状体（２）を前記コネクタ（４）に、螺合した状態の時は、前記かさぶたとり部（３）は、前記コネクタ（４）の空間（４Ｓ）内に配置され、
前記螺合を解除して、前記筒状体（２）を前記コネクタ（４）から取り外して、前記かさぶたとり部（３）を、露出することができるように形成したるかさぶたとりキット（１）を、
針基（１５）の後方に接続したチューブＴの端部に装着したことを特徴とする医療用針（１１）。
【請求項４】
前記筒状体（２）がロックキャップ（１２Ａ）、前記コネクタ（４）がルアーコネクタ（１４Ａ）である請求項３に記載の医療用針（１１）。
【請求項５】
かさぶたとり部（３）を一体に成形した筒状体（２）と、コネクタ（４）を有し、
前記筒状体（２）の前方の密閉壁（２Ｆ）に、前記かさぶたとり部（３）の基部（３．２）を連結し、
前記かさぶたとり部（３）の先端部（３．１）は、前記コネクタ（４）の前方部方向に向けて配置され、
前記筒状体（２）と前記コネクタ（４）は、相互に螺合可能な螺合部（２．３、４．３）を有し、
前記筒状体（２）を前記コネクタ（４）に、螺合した状態の時は、前記かさぶたとり部（３）は、前記コネクタ（４）の空間（４Ｓ）内に配置され、
前記螺合を解除して、前記筒状体（２）を前記コネクタ（４）から取り外して、前記かさぶたとり部（３）を、露出することができるように形成したるかさぶたとりキット（１）を、
動脈側回路（２２Ｖ）及び/又は静脈側回路（２２Ａ）の途中に配置された分岐チューブ（２２ＶＴ、２２ＡＴ）の末端に配置されたコネクタ部材（２３Ｖ、２３Ａ）として装着したことを特徴とする体外循環回路（２１）。
【請求項６】
前記コネクタ部材（２３Ｖ、２３Ａ）は、ロックキャップ（２２ＶＡ、２２ＡＡ）とルアーコネクタ（２４ＶＡ、２４ＡＡ）からなる請求項５に記載の体外循環回路（２１）。
【考案の詳細な説明】
【技術分野】
【０００１】
本考案は、血液透析時に使用される「かさぶたとりキット」及び医療用針、体外循環回路の改良に関する。なお「かさぶた」とりの技術に使用できれば、全ての分野に使用できる。
以下血液透析の例について説明する。
【背景技術】
【０００２】
血液透析は、患者の血管（に形成したシャント部）に、透析針等を穿刺して行うものであるが、透析終了後、透析針を抜いた後の透析針の穿刺跡に、血液が凝固し「かさぶた」（血液の塊）が形成される。（特許文献１）このため、二回目以降の透析を行う場合、これらの「かさぶた」を除去して、透析針等を穿刺している。
【０００３】
「かさぶた」の除去手段として、特許文献２に記載されているように、医療用鉤状フックやピンセット等がある。このように、無菌状態の医療用鉤状フックやピンセット等をわざわざ準備するのは煩わしいので、現在、米国のＭＤＳ社から図４に例示するものが市販されている。
すなわち、医療用針３１の針カバー３２の前方部３２．１に、当該筒状体３２と別部品で形成した「かさぶたとり部３３」を、装着（組み込む）したものである。
透析の開始時に、「かさぶたとり部３３」を取り外し、かさぶたとり部３３の鋭利な先端部３３．１１で、「かさぶた」（血液の塊）を除去するものである。
しかしながら、このように、筒状体３２とかさぶたとり部３３を別部品にすると、
（１）部品点数が、かさぶたとり部３３の分だけ余分に増えて、組み立て工程が煩わしい。
（２）（１）により、作業者は、かさぶたとり部３３を、筒状体３２に装着し忘れる場合がある。
（３）かさぶたとり部３３は、筒状体３２の前方部３３．１に、単に圧入により装着するので、かさぶたとり部３３と筒状体３２のどちらかに、寸法等の偏り、歪等があると、装着がきつくなりすぎたり、緩くなりすぎる場合がある。
装着がきつくなりすぎると、組みたて時にかさぶたとり部３３を、筒状体３２に装着できなかったり、使用時に、かさぶたとり部３３を、筒状体３２から取り外すことができず、かさぶた部の除去作業が遅滞する。
逆に装着が緩すぎると、かさぶたとり部３３が、筒状体３２から離脱しやすく、包装運搬中に離脱すると、かさぶたとり部３３の先端部３３．１が、包装袋を突き破り、作業者を傷つける虞がある。
（４）部品点数が増えたかさぶたとり部３３分だけコスト高となり、またかさぶたとり部３３が使用中に落下する虞がある。
等の課題がある。
【０００４】
【特許文献１】特開２０００−１７６００９  （［００１１］）
【特許文献２】再公表特許ＷＯ０４／０１１０６３公報（第１０頁  第３行から第６行）
【考案の開示】
【考案が解決しようとする課題】
【０００５】
従来より使用されている「医療用針３１（針カバー３２に、別部品としてかさぶたとり部３３を、装着（組み込む）したもの」は、
（１）部品点数が、余分に増えて、組み立て工程が煩わしい。
（２）（１）により、作業者は、かさぶたとり部３３を、筒状体３２に装着し忘れる場合がある。
（３）かさぶたとり部３３と筒状体３２のどちらかに、寸法等の偏り、歪等があると、装着がタイトになりすぎたり、緩くなりすぎる場合がある。
（４）コスト高となり、またかさぶたとり部３３が使用中に落下する虞がある。
の問題点がある点である。
【課題を解決するための手段】
【０００６】
［１］本考案は、かさぶたとり部（３）を一体に成形した筒状体（２）と、コネクタ（４）を有し、
前記筒状体（２）の前方の密閉壁（２Ｆ）に、前記かさぶたとり部（３）の基部（３．２）を連結し、
前記かさぶたとり部（３）の先端部（３．１）は、前記コネクタ（４）の前方部方向に向けて配置され、
前記筒状体（２）と前記コネクタ（４）は、相互に螺合可能な螺合部（２．３、４．３）を有し、
前記筒状体（２）を前記コネクタ（４）に、螺合した状態の時は、前記かさぶたとり部（３）は、前記コネクタ（４）の空間（４Ｓ）内に配置され、
前記螺合を解除して、前記筒状体（２）を前記コネクタ（４）から取り外して、前記かさぶたとり部（３）を、露出することができるように形成したかさぶたとりキット（１）を提供する。
［２］本考案は、前記筒状体（２）の螺合部（２．３）と前記コネクタ（４）の螺合部（４．３）が螺旋状の溝部及び／又は突部である、［１］に記載のかさぶたとりキット（１）を提供する。
［３］本考案は、かさぶたとり部（３）を一体に成形した筒状体（２）と、コネクタ（４）を有し、
前記筒状体（２）の前方の密閉壁（２Ｆ）に、前記かさぶたとり部（３）の基部（３．２）を連結し、
前記かさぶたとり部（３）の先端部（３．１）は、前記コネクタ（４）の前方部方向に向けて配置され、
前記筒状体（２）と前記コネクタ４は、相互に螺合可能な螺合部（２．３、４．３）を有し、
前記筒状体（２）を前記コネクタ（４）に、螺合した状態の時は、前記かさぶたとり部（３）は、前記コネクタ（４）の空間（４Ｓ）内に配置され、
前記螺合を解除して、前記筒状体（２）を前記コネクタ（４）から取り外して、前記かさぶたとり部（３）を、露出することができるように形成したるかさぶたとりキット（１）を、
針基（１５）の後方に接続したチューブＴの端部に装着した医療用針（１１）を提供する。
［４］本考案は、前記筒状体（２）がロックキャップ（１２Ａ）、前記コネクタ（４）がルアーコネクタ（１４Ａ）である、［３］に記載の医療用針（１１）を提供する。
［５］本考案は、かさぶたとり部（３）を一体に成形した筒状体（２）と、コネクタ（４）を有し、
前記筒状体（２）の前方の密閉壁（２Ｆ）に、前記かさぶたとり部（３）の基部（３．２）を連結し、
前記かさぶたとり部（３）の先端部（３．１）は、前記コネクタ（４）の前方部方向に向けて配置され、
前記筒状体（２）と前記コネクタ（４）は、相互に螺合可能な螺合部（２．３、４．３）を有し、
前記筒状体（２）を前記コネクタ（４）に、螺合した状態の時は、前記かさぶたとり部（３）は、前記コネクタ（４）の空間（４Ｓ）内に配置され、
前記螺合を解除して、前記筒状体（２）を前記コネクタ（４）から取り外して、前記かさぶたとり部（３）を、露出することができるように形成したるかさぶたとりキット（１）を、
動脈側回路（２２Ｖ）及び/又は静脈側回路（２２Ａ）の途中に配置された分岐チューブ（２２ＶＴ、２２ＡＴ）の末端に配置されたコネクタ部材（２３Ｖ、２３Ａ）として装着した体外循環回路（２１）を提供する。
［６］本考案は、前記コネクタ部材（２３Ｖ、２３Ａ）は、ロックキャップ（２２ＶＡ、２２ＡＡ）とルアーコネクタ（２４ＶＡ、２４ＡＡ）からなる［５］に記載の体外循環回路（２１）を提供する。
【考案の効果】
【０００７】
本考案のかさぶたとりキット１は、
（１）かさぶたとり部３を筒状体２に一体に成形しているので、部品数が増えず、組み立て工程が増えず、作業者も、かさぶたとり部３を、筒状体２に装着し忘れることがない。
（２）使用時に、かさぶたとり部３を一体に成形した筒状体２を、コネクタ４から取り外して露出することができるので、運搬・取り扱いが安全である。操作性も良い。
（３）従来の医療用針３１「針カバー３２に、別部品としてかさぶたとり部３３を、装着（組み込む）したもの」と比較して、かさぶたとり部３が使用中に落下する虞がない。
【考案を実施するための最良の形態】
【０００８】
図１は、本考案のかさぶたとりキット１を医療用針１１に装着した一例を示す概略図（全体図）、図２は、本考案のかさぶたとりキット１のかさぶたとり部３付近の一部拡大図［（Ａ）取り外し前、（Ｂ）取り外し後］である。
［医療用針１１］
図１は、本考案のかさぶたとりキット１を医療用針１１に装着した例を示している。
医療用針１１は、針基１５に針管１３を植設し、針基１５の側部に翼部１４を装着している。針管１３には、針カバー１２が装着されている。
針基１５の後方には、チューブＴが接続され、チューブＴの途中にチューブ閉塞具（クランプ）１６が装着されている。
チューブＴの後方（後端）に、（ルアーロック）コネクタ１４Ａが装着されている。コネクタ１４Ａにロックキャップ１２Ａが螺合されている。ロックキャップ１２Ａは、本考案のかさぶたとりキット１の筒状体２に相当する。
【０００９】
［かさぶたとりキット１］
本考案のかさぶたとりキット１は、図２に例示するように、かさぶたとり部３を一体に成形した筒状体２と、コネクタ４を有する。
筒状体２の前方の密閉壁２Ｆに、かさぶたとり部３の基部３．２を連結している。
かさぶたとり部３の先端部３．１は、コネクタ４の前方部方向に向けて配置している。
筒状体２とコネクタ４は、相互に螺合可能な螺合部（２．３、４．３）を有する。
筒状体２をコネクタ４に、螺合した状態の時は、かさぶたとり部３は、コネクタ４の空間４Ｓ内に配置される。
螺合を解除して、筒状体２をコネクタ４から取り外して、かさぶたとり部３を、露出することができるように形成している。
【００１０】
［筒状体２］
筒状体２は、図１と図２に例示するように、医療用針１１のロックキャップ１２Ａに相当する。
筒状体２は、内筒部２．１と外筒部２．２を有し、（後方）密閉壁２Ｂで連結している。
外筒部２．２の内周には、コネクタ４と、相互に螺合可能な螺合部２．３を有する。螺合部２．３とは、螺旋状の溝部（及び／又は突部）である。
内筒部２．１の（前方）密閉壁２Ｆには、かさぶたとり部３が連結されている。
【００１１】
［かさぶたとり部３］
図２に例示するように、かさぶたとり部３は、筒状体２の前方の密閉壁２Ｆに、基部３．２を連結している。
またかさぶたとり部３の先端部３．１は、コネクタ４の前方部方向に向けて配置している。
かさぶたとり部３は、図２（Ａ）に例示するように筒状体２をコネクタ４に、螺合した状態の時は、コネクタ４の空間４Ｓ内に配置される。
またかさぶたとり部３は、図２（Ｂ）に例示するように螺合を解除して、筒状体２をコネクタ４から取り外すと、外部に露出する。
さらにかさぶたとり部３は例えば図２（Ａ）に例示するように、基部３．２から先端部３．１に向けて、斜面に形成されている。
このように、傾斜させて形成することで、かさ部に対して斜めから穿刺でき、広域に接触できるので、かさ部を除去しやすくなる。
【００１２】
［コネクタ４］
コネクタ４は、図１と図２に例示するように、医療用針１１のルアーコネクタ１４Ａに相当する。
図２に例示するように、コネクタ４の後方外周には、筒状体２と、相互に螺合可能な螺合部２．３を有する。螺合部２．３とは、螺旋状の突部（及び／または溝部）である。
コネクタ４の略中腹部外周には、作業者が掴んで、力を印加しやすいように、平坦な略翼状の把手４．１が形成されている。
【００１３】
［使用方法］
かさぶたとりキット１を医療用針１１に装着した例で説明する。
図２（Ａ）の筒状体２をコネクタ４に、螺合した状態から、図２（Ｂ）に例示するように、筒状体２とコネクタ４の螺合を解除して、筒状体２をコネクタ４から取り外して、かさぶたとり部３を、露出し、かさぶたとり部３の先端部３．１で、かさ部を除去する。
【００１４】
[体外循環回路２１]
本考案のかさぶたとりキット１は、図３に例示するように、血液透析に使用する体外循環回路２１の構成部品に装着して、前記医療用針１１と同様に使用することができる。
かさぶたとり部３を一体に成形した筒状体２と、コネクタ４を有するかさぶたとりキット１を、動脈側回路２２Ｖ及び/又は静脈側回路２２Ａの途中に配置された分岐チューブ（２２ＶＴ、２２ＡＴ）の末端に装着して使用することができる。
かさぶたとりキット１の筒状体２がロックキャップ２２ＶＡ、２２ＡＡ、かさぶたとりキット１のコネクタ４がルアーコネクタ２４ＶＡ、２４ＡＡに相当する。
図３の例示では、かさぶたとりキット１は、動脈側回路２２Ｖの途中に配置された分岐チューブ２２ＶＴ（例えば、へパリン注入チューブ、薬液注入チューブ、圧力モニターチューブ等）の末端に配置されたコネクタ部材２３Ｖ（ロックキャップ２２ＶＡとルアーコネクタ２４ＶＡ）として装着されている。
また同様に静脈側回路２２Ａの途中に配置された（ドリップチャンバーに装着された）分岐チューブ２２ＡＴ（例えば、へパリン注入チューブ、薬液注入チューブ、圧力モニターチューブ等）の末端に配置されたコネクタ部材２３Ａ（ロックキャップルアーコネクタ２２ＡＡとルアーコネクタ２４ＡＡ）として装着されている。
【図面の簡単な説明】
【００１５】
【図１】本考案のかさぶたとりキット１を医療用針１１に装着した一例を示す概略図（全体図）
【図２】本考案のかさぶたとりキットのかさぶたとり部付近の一部拡大図［（Ａ）取り外し前、（Ｂ）取り外し後］
【図３】本考案のかさぶたとりキット１を体外循環回路２１に装着した一例を示す概略図（全体図）
【図４】従来の医療用針とかさぶたとりキットとの概略図
【符号の説明】
【００１６】
１          かさぶたとりキット
２          筒状体
２．１      内筒部
２．２      外筒部
２．３      螺合部
２Ｆ      （前方）密閉壁
２Ｂ      （後方）密閉壁
３          かさぶたとり部
３．１      先端部
３．２      基部
４          コネクタ
４．１      把手
４．３      螺合部
４Ｓ        空間
１１        医療用針
１２        針カバー
１２Ａ      ロックキャップ
１３        針管
１４        翼部
１４Ａ      ルアーコネクタ
１５        針基
Ｔ          チューブＴ
１６        チューブ閉塞具（クランプ）
２１        体外循環回路
２２Ｖ      動脈側回路
２２Ａ      静脈側回路
２２ＶＴ    （動脈側回路側の）分岐チューブ
２２ＡＴ    （静脈側回路側の）分岐チューブ
２２ＶＡ    （動脈側回路側の）ロックキャップ
２３Ｖ      （動脈側回路側の）コネクタ部材
２４ＶＡ    （動脈側回路側の）ルアーコネクタ
２２ＡＡ    （静脈側回路側の）ロックキャップ
２３Ａ      （静脈側回路側の）コネクタ部材
２４ＡＡ    （静脈側回路側の）ルアーコネクタ
【図１】
0003143620.tif 000003
【図２】
0003143620.tif 000004
【図３】
0003143620.tif 000005
【図４】
0003143620.tif 000006